(57)【要約】【目的】湿気による腐食、シロアリによる食害を防げ、耐火性に優れ、また加工精度も高く軽量であることから施工性にも優れ、更には強度も高く釘着やボルトによる緊締にも好適な建造物の基礎構造物を提供すること。【構成】  断面がほぼ矩形で空胴部を有する不錆性且つ不腐食性金属製枠材の、該空胴部に合成樹脂材（請求項１の場合、）或いは合成樹脂材と不燃材の混合物（請求項２の場合）を封入して構成した。請求項３記載の発明では枠材の空洞部内に柱部を設けた。請求項４記載の発明では枠材の側面に接続金物を取り付けるための係止溝部を設けた。請求項５記載の発明では封入物の表面に複数の凹溝を設けた。【選択図】        図１
2005146836.tif 000002
【特許請求の範囲】
【請求項１】
断面がほぼ矩形で空胴部を有する不錆性且つ不腐食性金属製枠材の、該空胴部に合成樹脂材を封入してなる建造物の基礎構造物。
【請求項２】
空洞部に合成樹脂材及び不燃材を封入した請求項１に記載の建造部の基礎構造物。
【請求項３】
枠材の空洞部内に柱部を設けたことを特徴とする請求項１又は請求項２に記載の建造物の基礎構造物。
【請求項４】
枠材の側面に接続金物を取り付けるための係止溝部を設けたことを特徴とする請求項１、請求項２又は請求項３に記載の建造物の基礎構造物。
【請求項５】
空洞部に封入される封入物の表面に複数の凹溝を設けたことを特徴とする請求項１、請求項２、請求項３又は請求項４に記載の建造物の基礎構造物
【発明の詳細な説明】
【技術分野】
【０００１】
本発明は土台、大引き、根太、火打ち土台等の建造物の基礎構造物に関する。
【背景技術】
【０００２】
建造物の基礎部分はコンクリートからなる布基礎の上面に沿って土台が載置されアンカーボルト等で固定されている。
【０００３】
また、土台のコーナー部分には火打ち土台を設け補強が施されている。
【０００４】
更には根太を受けるために大引きが設けられ、大引き上には大引きと直交する配置で根太を設けてあり、この根太の上に床板を取り付けることになる。
【０００５】
これら建造物の基礎構造物たる土台、大引き、根太、火打ち土台等は木材を使用するのが一般的である。
【０００６】
しかし、これら木材を使用した基礎構造物は長期間の使用により湿気による腐食が生じたり、シロアリの食害に遭い、耐久性に劣るという難点がある。また、加工精度が低く、重量であるため施工性にも難点がある。更には木材であるが故に耐火性にも問題がある。
【０００７】
かかる難点を解決するため特開２００３−１６０９７８号公報記載の発明は、アルミニウム合金からなる押出形材により形成される建物用土台を提案している。また、特開平１０−３３１２５７号公報記載の発明は、発泡性合成樹脂製基材よりなる土台を提案している。
【特許文献１】特開２００３−１６０９７８号公報
【特許文献２】特開平１０−３３１２５７号公報
【発明の開示】
【発明が解決しようとする課題】
【０００８】
１、  上記特開２００３−１６０９７８号公報記載の発明はアルミニウム合金により形成されることから湿気による腐食、シロアリによる食害を防げ、耐火性にも優れたものである。また、加工精度も高く軽量あることから施工性にも優れたものである。
【０００９】
しかし、内部が空洞であるため強度が低く、また釘着がしづらく更にはボルトによる緊締にも不向きという難点がある。
【００１０】
２、  特開平１０−３３１２５７号公報記載の発明は発泡性合成樹脂製基材によりなるものであり、湿気による腐食、シロアリによる食害を防げ、また軽量であり有用な発明といえる。
【００１１】
しかし、耐火性にもとると共に加工精度が低いという難点がある。
【００１２】
３、  そこで本発明は上記発明等が有する課題を解決することが可能な、すなわち湿気による腐食、シロアリによる食害を防げ、耐火性に優れ、また加工精度も高く軽量であることから施工性にも優れ、更には強度も高く釘着やボルトによる緊締にも好適な建造物の基礎構造物を提供することを目的とする。
【課題を解決するための手段】
【００１３】
上記課題を解決するために請求項１記載の発明にかかる建造物の基礎構造物は、断面がほぼ矩形で空胴部を有する不錆性且つ不腐食性金属製枠材の該空胴部に合成樹脂材を封入して構成した。
【００１４】
外枠が不錆性且つ不腐食性金属よりなるがゆえに湿気による腐食、シロアリによる食害を防げ、耐火性に優れ、また加工精度も高く、軽量であることから施工性にも優れたものになるのである。更には内部の空胴部に合成樹脂材が封入してあることから強度も高く、また釘着やボルトによる緊締にも好適であり、耐火性にも優れたものになるのである。
【００１５】
又、請求項２記載の発明では空洞部内に合成樹脂材のみならず不燃物をも封入してある。これにより、より耐火性に優れたものとなるのである。
【００１６】
又、請求項３記載の発明では枠材の空洞部内に柱部を設けてある。これにより強度が更に高くなるのである。
【００１７】
又、請求項４記載の発明では枠材の側面に接続金物を取り付けるための係止溝部を設けてある。接続金物の取り付けが容易になることから更に施工性が優れたものとなるのである。
【００１８】
更には請求項５記載の発明では枠材の空洞部に封入される封入物の表面に複数の凹溝が設けてある。内部に封入された合成樹脂材や、合成樹脂材と不燃材との混合物が、夏季等の高温下で膨張し枠材に亀裂が入り耐久性が劣化することを防ぐためである。つまり凹溝が膨張に対する逃げの役目をはたし、枠材に亀裂が入ることを防止できるのである。更にはこの凹溝により形状抵抗が増し、より強度が高まるという利点も有するものである。又、結露した水滴の凍結に伴う膨張に対する逃げの役目も果たしうるものである。更には空気の膨張に対する逃げの役目も果たしうるものである。
【発明の効果】
【００１９】
本発明は以上のように構成されていることから湿気による腐食、シロアリによる食害を防げ、耐火性に優れ、また加工精度も高く軽量であることから施工性にも優れ、更には強度も高く釘着やボルトによる緊締にも好適な建造物の基礎構造物を提供することが可能となるのである。
【発明を実施するための最良の形態】
【００２０】
以下、好ましい発明の実施形態につき図面を参照しながら述べる。
【００２１】
図１は本発明に係る基礎構造物を施工した状態の概略説明図であり、図２は本発明を土台として実施した場合の斜視図であり、図３は封入物の斜視図であり、図４は本発明を大引きとして実施した場合の斜視図であり、図５本発明を根太として実施した場合の斜視図であり、図６は本発明を火打ち土台として実施した場合の斜視図であり、図７は土台のコーナー部分に使用する接続金物の斜視図であり、図８は土台に間柱を固定する際に使用する接続金物の斜視図であり、図９は土台と大引きを接続する際に使用する接続金物の斜視図である。
【００２２】
請求項１記載に係る建造物の基礎構造物は断面がほぼ矩形で空胴部を有する不錆性且つ不腐食性金属製枠材の該空胴部に合成樹脂材を封入して構成してある。
【００２３】
ここに枠材は不錆性且つ不腐食性を有するアルミニウム合金、チタン、ジュラルミン等を押出成形して形成したものを使用している。そして枠材内部の空胴部には合成樹脂材を封入してある。
【００２４】
ここに合成樹脂材としては強化プラスチックを用いるのが好ましい。より具体的にはＦＲＰ（Ｆｉｂｅｒ  Ｒｅｉｎｆｏｒｃｅｄ  Ｐｌａｓｔｉｃｓ）等を使用することが考えられる。
【００２５】
封入方法は溶融したものを注入し固化させるといった方法、破砕したものを押入するといった方法あるいは両者を併用するといった方法が考えられる。
【００２６】
請求項２記載の発明では空洞部内に合成樹脂材のみならず不燃物をも封入してある。不燃材としては、けい酸カルシウム素材のもの等が好ましい。
【００２７】
封入方法は溶融したものを注入し固化させるといった方法、破砕したものを押入するといった方法あるいは両者を併用するといった方法が考えられる。
【００２８】
又、請求項３記載の発明では枠材の空洞部内に柱部を設けてある。具体的には土台や大引きといった大きな重量を支える部材において、柱部を設けて重量に耐え得る強度を与えるのである。
【００２９】
又、請求項４記載の発明では枠材の側面に接続金物を取り付けるための係止溝部を設けてある。具体的には土台の両側部の上辺及び下辺に係止溝部を設けることで接続金物を取りつけやすくし、土台同士や土台と大引き、土台と間柱等の接続固定を容易にするのである。
【００３０】
更には、請求項５記載の発明では封入物の表面に複数の凹溝を設けある。
【００３１】
以下、より具体的に述べる。
【００３２】
図２に示すように土台１０は中空の板材であり、中空部には強度を増すために断面十字形の柱部１１が設けてある。また、接続金具を取り付けるための係止溝部１２が両側面に設けてある。中空部には合成樹脂材或いは合成樹脂材と不燃材の混合物である封入物Ａが封入してある。又、封入物Ａの表面には複数の凹溝１３が設けてある。
【００３３】
図３に示すように封入物には複数の凹溝が設けてある。凹溝は図中１３ａで示す長手方向のもののみでもよいし、更には１３ｂで示す短手方向のものをも設けてもよい。
【００３４】
図４に示すように大引き２０は中空の板材であり、中空部には強度を増すために柱部２１が設けてある。中空部には合成樹脂材或いは合成樹脂材と不燃材の混合物である封入物Ａが封入してある。又、封入物Ａの表面には複数の凹溝２２が設けてある。凹溝２２は長手方向のみでもよいし更には短手方向にも設けてもよい。
【００３５】
図５に示すように根太３０は中空の板材である。中空部には合成樹脂材或いは合成樹脂材と不燃材の混合物である封入物Ａが封入してある。又、表面には複数の凹溝３１が設けてある。凹溝３１は長手方向のみでもよいし更には短手方向にも設けてもよい。
【００３６】
図６に示すように火打ち土台４０は中空の板材である。中空部には合成樹脂材或いは合成樹脂材と不燃材の混合物である封入物Ａが封入してある。火打ち土台４０の下部は弯曲した形状に形成してある。弯曲形状にしてあるのは、火打ち土台を土台に取り付ける際に土台に設ける嵌め込み孔を穿設する切削機たるルーターの刃物が丸歯であるため、弯曲した形状の嵌め込み孔のほうが矩形の孔よりも切削しやすく、当該弯曲した形状の嵌め込み孔の形態に合わせたためである。又、表面には複数の凹溝４１が設けてある。凹溝４１は長手方向のみでもよいし更には短手方向にも設けてもよい。
【００３７】
以上のように構成される本発明を具体的に施工した状態を模式的に示したものが図１である。
【００３８】
図１に示すように布基礎Ｂの上に土台１０を載置固定する（図中断面を示すため破断した状態を示してある）。また、土台１０間にわたり大引き２０を設置する（図中断面を示すため破断した状態を示してある）。大引き２０上には根太３０が複数本設置される（図中断面を示すため破断した状態を示してある）。また、コーナー部分には火打ち土台４０が設置される（図中断面を示すため破断した状態を示してある）。また土台１０上には間柱Ｃが固定される。
【００３９】
土台のコーナー部分には図７に示すコーナー部分用の接続金物５０を介在させ土台を固定している。コーナーの内側部分には接続金物５０を、外側部分には接続金物５１（図１においては隠れている）を介在させるものである。
【００４０】
接続金物５０、５１共に折曲した形状の板材であり、ボルト等を挿孔するための孔部５２が複数設けてある。各辺部５０ａ，５０ｂ，５１ａ，５１ｂを土台１０に設けた係止溝部１２に嵌め込み、そのうえで孔部５２にボルトを挿孔固着するのである。
【００４１】
尚、コーナーの内側部分に使用する接続金物５０の一方辺部５０ｂは、その対角線上にある角部を円弧状に形成してある。これにより接続金物を土台１０の係止溝部１２に端面から嵌め込み滑らせて所望位置に持ってこずとも、接続金物を土台に取り付けることができるのである。つまり係止溝部１２の任意・所望位置に辺部５０ｂの円弧形状部の一方を嵌め、回転させながら他方円弧形状部を他方の係止溝部１２に嵌め込むことが可能となるのである。
【００４２】
間柱Ｃは図８に示す間柱用の接続金物６０を用いて土台１０に固定されている。間柱用の接続金物６０は折曲した形状の板材であり、ボルト等を挿孔するための孔部６１が複数設けてある。
【００４３】
大引き２０は図９に示す接続金物７０、７１により土台１０に固定されている。接続金物７０、７１は対称形状をなし、大引きの両側辺から大引きを支持固定するものである。
【００４４】
接続金物７０、７１は折曲した三辺より成る板材であり、ボルト等を挿孔するための孔部７２が複数設けてある。辺部７０ａ、７１ａは土台１０の係止溝部１２に嵌め込み、辺部７０ｂ、７１ｂは大引き２０の両側面に取り付け、辺部７０ｃ、７１ｃは大引き２０の下辺に当接固着するものである。
【００４５】
尚、辺部７０ａ、７１ａは、その対角線上にある角部を円弧状に形成してある。これにより接続金物を土台１０の係止溝部１２に端面から嵌め込み滑らせて所望位置に持ってこずとも、接続金物を土台に取り付けることができるのである。つまり係止溝部１２の任意・所望位置に辺部７０ａ、７１ａの円弧形状部の一方を嵌め、回転させながら他方円弧形状部を他方の係止溝部１２に嵌め込むことが可能となるのである。
【図面の簡単な説明】
【００４６】
【図１】本発明に係る基礎構造物を施工した状態の概略説明図。
【図２】本発明を土台として実施した場合の斜視図。
【図３】封入物の斜視図。
【図４】本発明を大引きとして実施した場合の斜視図。
【図５】本発明を根太として実施した場合の斜視図。
【図６】本発明を火打ち土台として実施した場合の斜視図。
【図７】土台のコーナー部分に使用する接続金物の斜視図。
【図８】土台に間柱を固定する際に使用する接続金物の斜視図。
【図９】土台と大引きを接続する際に使用する接続金物の斜視図。
【符号の説明】
【００４７】
１０・・土台      １１・・柱部      １２・・係止溝部
２０・・大引き      ２１・・柱部
３０・・根太      ４０・・火打ち土台
【図１】
2005146836.tif 000003
【図２】
2005146836.tif 000004
【図３】
2005146836.tif 000005
【図４】
2005146836.tif 000006
【図５】
2005146836.tif 000007
【図６】
2005146836.tif 000008
【図７】
2005146836.tif 000009
【図８】
2005146836.tif 000010
【図９】
2005146836.tif 000011
【手続補正書】
【提出日】平成17年2月10日(2005.2.10)
【手続補正１】
【補正対象書類名】特許請求の範囲
【補正対象項目名】全文
【補正方法】変更
【補正の内容】
【特許請求の範囲】
【請求項１】
断面がほぼ矩形で空胴部を有する不錆性且つ不腐食性金属製枠材の、該空胴部に合成樹脂材を封入すると共に、該枠材の一方あるいは双方側面の上辺及び下辺に係止溝部を設けた建造物の基礎構造物。
【請求項２】
空洞部に合成樹脂材及び不燃材を封入した請求項１に記載の建造部の基礎構造物。
【請求項３】
枠材の空洞部内に柱部を設けたことを特徴とする請求項１又は請求項２に記載の建造物の基礎構造物。
【請求項４】
空洞部に封入される封入物の表面に複数の凹溝を設けたことを特徴とする請求項１、請求項２又は請求項３に記載の建造物の基礎構造物。
【請求項５】
請求項１乃至４いずれかに記載の建造物の基礎構造物に付随して使用する接続金物であって、Ｌ型状の板材であり、一方辺部の対角線上にある一対の角部を円弧状に形成した接続金物。
【請求項６】
請求項１乃至４いずれかに記載の建造物の基礎構造物に付随して使用する接続金物であって、折曲した三辺より成る板材であり、一辺部の対角線上にある一対の角部を円弧状に形成した接続金物。
【手続補正書】
【提出日】平成17年2月10日(2005.2.10)
【手続補正１】
【補正対象書類名】明細書
【補正対象項目名】全文
【補正方法】変更
【補正の内容】
【発明の詳細な説明】
【技術分野】
【０００１】
本発明は土台、大引き、根太、火打ち土台等の建造物の基礎構造物、及び当該基礎構造物に付随して使用する接続金物に関する。
【背景技術】
【０００２】
建造物の基礎部分はコンクリートからなる布基礎の上面に沿って土台が載置されアンカーボルト等で固定されている。
【０００３】
また、土台のコーナー部分には火打ち土台を設け補強が施されている。
【０００４】
更には根太を受けるために大引きが設けられ、大引き上には大引きと直交する配置で根太を設けてあり、この根太の上に床板を取り付けることになる。
【０００５】
これら建造物の基礎構造物たる土台、大引き、根太、火打ち土台等は木材を使用するのが一般的である。
【０００６】
しかし、これら木材を使用した基礎構造物は長期間の使用により湿気による腐食が生じたり、シロアリの食害に遭い、耐久性に劣るという難点がある。また、加工精度が低く、重量であるため施工性にも難点がある。更には木材であるが故に耐火性にも問題がある。
【０００７】
かかる難点を解決するため特開２００３−１６０９７８号公報記載の発明は、アルミニウム合金からなる押出形材により形成される建物用土台を提案している。また、特開平１０−３３１２５７号公報記載の発明は、発泡性合成樹脂製基材よりなる土台を提案している。
【特許文献１】特開２００３−１６０９７８号公報
【特許文献２】特開平１０−３３１２５７号公報
【発明の開示】
【発明が解決しようとする課題】
【０００８】
１、  上記特開２００３−１６０９７８号公報記載の発明はアルミニウム合金により形成されることから湿気による腐食、シロアリによる食害を防げ、耐火性にも優れたものである。また、加工精度も高く軽量であることから施工性にも優れたものである。
【０００９】
しかし、内部が空洞であるため強度が低く、また釘着がしづらく更にはボルトによる緊締にも不向きという難点がある。
【００１０】
２、  特開平１０−３３１２５７号公報記載の発明は発泡性合成樹脂製基材によりなるものであり、湿気による腐食、シロアリによる食害を防げ、また軽量であり有用な発明といえる。
【００１１】
しかし、耐火性にもとると共に加工精度が低いという難点がある。
【００１２】
３、  そこで本発明は上記発明等が有する課題を解決することが可能な、すなわち湿気による腐食、シロアリによる食害を防げ、耐火性に優れ、また加工精度も高く軽量であることから施工性にも優れ、更には強度も高く釘着やボルトによる緊締にも好適な建造物の基礎構造物を提供すること、併せて当該基礎構造物に付随して使用する接続金物を提供することを目的とする。
【課題を解決するための手段】
【００１３】
上記課題を解決するために請求項１記載の発明にかかる建造物の基礎構造物は、断面がほぼ矩形で空胴部を有する不錆性且つ不腐食性金属製枠材の該空胴部に合成樹脂材を封入すると共に、該枠材の一方あるいは双方側面の上辺及び下辺に係止溝部を設けた。
【００１４】
外枠が不錆性且つ不腐食性金属よりなるがゆえに湿気による腐食、シロアリによる食害を防げ、耐火性に優れ、また加工精度も高く、軽量であることから施工性にも優れたものになるのである。更には内部の空胴部に合成樹脂材が封入してあることから強度も高く、また釘着やボルトによる緊締にも好適であり、耐火性にも優れたものになるのである。
【００１５】
又、請求項２記載の発明では空洞部内に合成樹脂材のみならず不燃物をも封入してある。これにより、より耐火性に優れたものとなるのである。
【００１６】
又、請求項３記載の発明では枠材の空洞部内に柱部を設けてある。これにより強度が更に高くなるのである。
【００１７】
又、請求項４記載の発明では枠材の空洞部に封入される封入物の表面に複数の凹溝が設けてある。内部に封入された合成樹脂材や、合成樹脂材と不燃材との混合物が、夏季等の高温下で膨張し枠材に亀裂が入り耐久性が劣化することを防ぐためである。つまり凹溝が膨張に対する逃げの役目をはたし、枠材に亀裂が入ることを防止できるのである。更にはこの凹溝により形状抵抗が増し、より強度が高まるという利点も有するものである。又、結露した水滴の凍結に伴う膨張に対する逃げの役目も果たしうるものである。更には空気の膨張に対する逃げの役目も果たしうるものである。
【００１８】
請求項１乃至４記載の基礎構造物を構成する枠材側面の上辺及び下辺には、接続金物を取り付けるための係止溝部が設けてある。そしてこの係止溝部に係止して使用する接続金物が、請求項５及び請求項６において提案されている。
【００１９】
請求項５記載の接続金物はＬ型状に折曲した形状の板材であり、一方辺部の対角線上にある一対の角部を円弧状に形成したものである。この円弧形状をなす一方角部を、上辺あるいは下辺の係止溝部の一方に嵌め込み、そのうえで接続金物を回転させながら、円弧形状をなす他方角部を他方の係止溝部に嵌め込むのである。つまり係止溝部の任意の所望位置で接続金物を取り付けることが可能となるのである。かように接続金物の取り付けが容易になることから、施工性が優れたものとなるのである。
【００２０】
請求項６記載の接続金物は折曲した三辺より成る形状の板材であり、一辺部の対角線上にある一対の角部を円弧状に形成したものである。この円弧形状をなす一方角部を、上辺あるいは下辺の係止溝部の一方に嵌め込み、そのうえで接続金物を回転させながら、円弧形状をなす他方角部を他方の係止溝部に嵌め込むのである。つまり係止溝部の任意の所望位置で接続金物を取り付けることが可能となるのである。かように接続金物の取り付けが容易になることから、施工性が優れたものとなるのである。
【発明の効果】
【００２１】
本発明は以上のように構成されていることから湿気による腐食、シロアリによる食害を防げ、耐火性に優れ、また加工精度も高く軽量であることから施工性にも優れ、更には強度も高く釘着やボルトによる緊締にも好適な建造物の基礎構造物、及び当該基礎構造物に付随して使用する接続金物を提供することが可能となるのである。
【発明を実施するための最良の形態】
【００２２】
以下、好ましい発明の実施形態につき図面を参照しながら述べる。
【００２３】
図１は本発明に係る基礎構造物を施工した状態の概略説明図であり、図２は本発明を土台として実施した場合の斜視図であり、図３は封入物の斜視図であり、図４は本発明を大引きとして実施した場合の斜視図であり、図５本発明を根太として実施した場合の斜視図であり、図６は本発明を火打ち土台として実施した場合の斜視図であり、図７は土台のコーナー部分に使用する接続金物の斜視図であり、図８は土台に間柱を固定する際に使用する接続金物の斜視図であり、図９は土台と大引きを接続する際に使用する接続金物の斜視図である。
【００２４】
請求項１記載に係る建造物の基礎構造物は断面がほぼ矩形で空胴部を有する不錆性且つ不腐食性金属製枠材の該空胴部に合成樹脂材を封入して構成してある。
【００２５】
ここに枠材は不錆性且つ不腐食性を有するアルミニウム合金、チタン、ジュラルミン等を押出成形して形成したものを使用している。そして枠材内部の空胴部には合成樹脂材を封入してある。
【００２６】
ここに合成樹脂材としては強化プラスチックを用いるのが好ましい。より具体的にはＦＲＰ（Ｆｉｂｅｒ  Ｒｅｉｎｆｏｒｃｅｄ  Ｐｌａｓｔｉｃｓ）等を使用することが考えられる。
【００２７】
封入方法は溶融したものを注入し固化させるといった方法、破砕したものを押入するといった方法あるいは両者を併用するといった方法が考えられる。
【００２８】
請求項２記載の発明では空洞部内に合成樹脂材のみならず不燃物をも封入してある。不燃材としては、けい酸カルシウム素材のもの等が好ましい。
【００２９】
封入方法は溶融したものを注入し固化させるといった方法、破砕したものを押入するといった方法あるいは両者を併用するといった方法が考えられる。
【００３０】
又、請求項３記載の発明では枠材の空洞部内に柱部を設けてある。具体的には土台や大引きといった大きな重量を支える部材において、柱部を設けて重量に耐え得る強度を与えるのである。
【００３１】
又、請求項１乃至３記載の発明では枠材の側面に接続金物を取り付けるための係止溝部を設けてある。具体的には土台の一方あるいは双方側部の上辺及び下辺に係止溝部を設けることで接続金物を取りつけやすくし、土台同士や土台と大引き、土台と間柱等の接続固定を容易にするのである。
【００３２】
更には、請求項４記載の発明では封入物の表面に複数の凹溝を設けある。
【００３３】
以下、より具体的に述べる。
【００３４】
図２に示すように土台１０は中空の板材であり、中空部には強度を増すために断面十字形の柱部１１が設けてある。また、接続金具を取り付けるための係止溝部１２が両側面に設けてある。中空部には合成樹脂材或いは合成樹脂材と不燃材の混合物である封入物Ａが封入してある。又、封入物Ａの表面には複数の凹溝１３が設けてある。
【００３５】
図３に示すように封入物には複数の凹溝が設けてある。凹溝は図中１３ａで示す長手方向のもののみでもよいし、更には１３ｂで示す短手方向のものをも設けてもよい。
【００３６】
図４に示すように大引き２０は中空の板材であり、中空部には強度を増すために柱部２１が設けてある。中空部には合成樹脂材或いは合成樹脂材と不燃材の混合物である封入物Ａが封入してある。又、封入物Ａの表面には複数の凹溝２２が設けてある。凹溝２２は長手方向のみでもよいし更には短手方向にも設けてもよい。
【００３７】
図５に示すように根太３０は中空の板材である。中空部には合成樹脂材或いは合成樹脂材と不燃材の混合物である封入物Ａが封入してある。又、表面には複数の凹溝３１が設けてある。凹溝３１は長手方向のみでもよいし更には短手方向にも設けてもよい。
【００３８】
図６に示すように火打ち土台４０は中空の板材である。中空部には合成樹脂材或いは合成樹脂材と不燃材の混合物である封入物Ａが封入してある。火打ち土台４０の下部は弯曲した形状に形成してある。弯曲形状にしてあるのは、火打ち土台を土台に取り付ける際に土台に設ける嵌め込み孔を穿設する切削機たるルーターの刃物が丸歯であるため、弯曲した形状の嵌め込み孔のほうが矩形の孔よりも切削しやすく、当該弯曲した形状の嵌め込み孔の形態に合わせたためである。又、表面には複数の凹溝４１が設けてある。凹溝４１は長手方向のみでもよいし更には短手方向にも設けてもよい。
【００３９】
以上のように構成される本発明を具体的に施工した状態を模式的に示したものが図１である。
【００４０】
図１に示すように布基礎Ｂの上に土台１０を載置固定する（図中断面を示すため破断した状態を示してある）。また、土台１０間にわたり大引き２０を設置する（図中断面を示すため破断した状態を示してある）。大引き２０上には根太３０が複数本設置される（図中断面を示すため破断した状態を示してある）。また、コーナー部分には火打ち土台４０が設置される（図中断面を示すため破断した状態を示してある）。また土台１０上には間柱Ｃが固定される。
【００４１】
土台のコーナー部分には図７に示すコーナー部分用の接続金物５０を介在させ土台を固定している。コーナーの内側部分には請求項５記載に係る接続金物５０を、外側部分には接続金物５１（図１においては隠れている）を介在させるものである。
【００４２】
接続金物５０、５１共に折曲した形状の板材であり、ボルト等を挿孔するための孔部５２が複数設けてある。各辺部５０ａ，５０ｂ，５１ａ，５１ｂを土台１０に設けた係止溝部１２に嵌め込み、そのうえで孔部５２にボルトを挿孔固着するのである。
【００４３】
尚、コーナーの内側部分に使用する接続金物５０の一方辺部５０ｂは、その対角線上にある角部を円弧状に形成してある。これにより接続金物を土台１０の係止溝部１２に端面から嵌め込み滑らせて所望位置に持ってこずとも、接続金物を土台に取り付けることができるのである。つまり係止溝部１２の任意・所望位置に辺部５０ｂの円弧形状部の一方を嵌め、回転させながら他方円弧形状部を他方の係止溝部１２に嵌め込むことが可能となるのである。
【００４４】
間柱Ｃは図８に示す間柱用の接続金物６０を用いて土台１０に固定されている。間柱用の接続金物６０は折曲した形状の板材であり、ボルト等を挿孔するための孔部６１が複数設けてある。
【００４５】
大引き２０は図９に示す請求項６記載に係る接続金物７０、７１により土台１０に固定されている。接続金物７０、７１は対称形状をなし、大引きの両側辺から大引きを支持固定するものである。
【００４６】
接続金物７０、７１は折曲した三辺より成る板材であり、ボルト等を挿孔するための孔部７２が複数設けてある。辺部７０ａ、７１ａは土台１０の係止溝部１２に嵌め込み、辺部７０ｂ、７１ｂは大引き２０の両側面に取り付け、辺部７０ｃ、７１ｃは大引き２０の下辺に当接固着するものである。
【００４７】
尚、辺部７０ａ、７１ａは、その対角線上にある角部を円弧状に形成してある。これにより接続金物を土台１０の係止溝部１２に端面から嵌め込み滑らせて所望位置に持ってこずとも、接続金物を土台に取り付けることができるのである。つまり係止溝部１２の任意・所望位置に辺部７０ａ、７１ａの円弧形状部の一方を嵌め、回転させながら他方円弧形状部を他方の係止溝部１２に嵌め込むことが可能となるのである。
【図面の簡単な説明】
【００４８】
【図１】本発明に係る基礎構造物を施工した状態の概略説明図。
【図２】本発明を土台として実施した場合の斜視図。
【図３】封入物の斜視図。
【図４】本発明を大引きとして実施した場合の斜視図。
【図５】本発明を根太として実施した場合の斜視図。
【図６】本発明を火打ち土台として実施した場合の斜視図。
【図７】土台のコーナー部分に使用する接続金物の斜視図。
【図８】土台に間柱を固定する際に使用する接続金物の斜視図。
【図９】土台と大引きを接続する際に使用する接続金物の斜視図。
【符号の説明】
【００４９】
１０・・土台      １１・・柱部      １２・・係止溝部
２０・・大引き      ２１・・柱部
３０・・根太      ４０・・火打ち土台